(57)【要約】【課題】雄コネクタの挿入時においても隔壁部材の位置ずれや脱落を防止して確実に支持させることができる、新規な構造の隔壁部材付きハブ組立体を提供する。【解決手段】隔壁部材付きハブ組立体１０において、隔壁部材１８の外周部分において流体通路７２の長さ方向で押し子２０側に向かって突出する環状突部６０が形成されている一方、押し子ガイド２２における隔壁部材１８側の軸方向先端部において環状突部６０内に入り込む保持部５２が形成されており、保持部５２とハブ１４との間で隔壁部材１８の環状突部６０が圧縮状態で保持されている。【選択図】図５
2019195721.tif 000002
【特許請求の範囲】
【請求項１】
流体通路を構成するハブの内部にスリット付きの隔壁部材が装着されていると共に、該隔壁部材に対して一方の側に筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、
前記隔壁部材の外周部分において前記流体通路の長さ方向で前記押し子側に向かって突出する環状突部が形成されている一方、前記押し子ガイドにおける該隔壁部材側の軸方向先端部において該環状突部内に入り込む保持部が形成されていると共に、該保持部の外周面と前記ハブの内周面との少なくとも一方には他方に向かって突出する押え突部が形成されて、該環状突部における該押え突部との接触部分が該押え突部により圧縮された挟圧部とされており、該挟圧部において、該保持部と前記ハブとの間で該隔壁部材の該環状突部が圧縮状態で保持されていることを特徴とする隔壁部材付きハブ組立体。
【請求項２】
前記保持部の外周面に前記押え突部が形成されて、該押え突部と前記ハブの内周面との間で前記隔壁部材の前記環状突部が圧縮状態で保持されている請求項１に記載の隔壁部材付きハブ組立体。
【請求項３】
前記ハブの内周面に前記押え突部が形成されて、該押え突部と前記保持部との間で前記隔壁部材の前記環状突部が圧縮状態で保持されている請求項１又は２に記載の隔壁部材付きハブ組立体。
【請求項４】
前記環状突部において前記挟圧部より前記押し子の移動方向の後方側が該挟圧部に比べて厚肉とされている請求項２又は３に記載の隔壁部材付きハブ組立体。
【請求項５】
前記押え突部により、前記隔壁部材の前記環状突部における突出方向の基端部が圧縮状態で保持されている請求項１〜４の何れか１項に記載の隔壁部材付きハブ組立体。
【請求項６】
流体通路を構成するハブの内部にスリット付きの隔壁部材が装着されていると共に、該隔壁部材に対して一方の側に筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、
前記ハブの内周面に段差状部が設けられていると共に、該ハブの該段差状部において前記押し子側に向かって突出する押え突部が形成されており、前記隔壁部材が前記スリットの形成された中央部分よりも外周側において、該押え突部により前記押し子ガイドとの間で圧縮されて保持されていることを特徴とする隔壁部材付きハブ組立体。
【請求項７】
流体通路を構成するハブの内部にスリット付きの隔壁部材が装着されていると共に、該隔壁部材に対して一方の側に筒状の押し子が配されて該流体通路の長さ方向で所定距離移動可能とされており、該押し子が該隔壁部材の該スリットに押し入れられることで該隔壁部材が連通されるようになっている隔壁部材付きハブ組立体において、
前記隔壁部材の外周部分には前記流体通路の長さ方向で前記押し子側に向かって突出する環状突部が形成されていると共に、前記ハブの内部に組み付けられた部材には該押し子を移動方向へ案内するガイド部と該環状突部に入り込む保持部が設けられており、該保持部の外周面と前記ハブの内周面との少なくとも一方には他方に向かって突出して該環状突部に対して圧縮力を及ぼす押え突部が形成されていることを特徴とする隔壁部材付きハブ組立体。
【発明の詳細な説明】
【技術分野】
【０００１】
本発明は、医療分野での輸液や輸血、人工透析等に際して血管等への穿刺状態に留置されて用いられる、隔壁部材付きのハブ組立体に関するものである。
【背景技術】
【０００２】
従来から、輸液や採血、血液透析等を行うための医療器具の一種として、隔壁部材付きハブ組立体が知られている。例えば特許第４９６４５９２号公報（特許文献１）に記載されたニードルアッセンブリ（１００）もその一つである。
【０００３】
ところで、かかる特許文献１に記載のニードルアッセンブリ（１００）では、ニードルハブ（１２０）内にシール（１４２）が組み込まれていると共に、プランジャ（１４６）の移動でシール（１４２）が開閉されるようになっている。そして、シール（１４２）の開閉操作でハブ内の流体通路を連通／遮断できることから、ハブ内の流体通路の開放を阻止して血液等の外部への漏れ出しを防止することができる。
【０００４】
ところが、このような従来構造のニードルアッセンブリ（１００）では、シール（１４２）の開操作に際して、プランジャ（１４６）からシール（１４２）へ大きな押込力が及ぼされやすい。そのために、ニードルハブ（１２０）内でシール（１４２）が押込方向へ位置ずれしたり組付位置から脱落してしまって、目的とする流体通路における連通／遮断の制御が不安定になるおそれがあった。なお、上記説明文中の（）内符号は、特許文献１に記載のものである。
【先行技術文献】
【特許文献】
【０００５】
【特許文献１】特許第４９６４５９２号公報
【発明の概要】
【発明が解決しようとする課題】
【０００６】
ここにおいて、本発明は、上述の如き事情を背景として為されたものであって、その解決課題とするところは、ハブ内に装着されたシール等からなる隔壁部材の位置ずれや脱落が防止されて、隔壁部材による流体通路の連通／遮断が安定してなされ得る、新規な構造の隔壁部材付きハブ組立体を提供することにある。
【課題を解決するための手段】
【０００７】
本発明の第１の態様は、流体通路を構成するハブの内部にスリット付きの隔壁部材が装着されていると共に、該隔壁部材に対して一方の側に筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、前記隔壁部材の外周部分において前記流体通路の長さ方向で前記押し子側に向かって突出する環状突部が形成されている一方、前記押し子ガイドにおける該隔壁部材側の軸方向先端部において該環状突部内に入り込む保持部が形成されていると共に、該保持部の外周面と前記ハブの内周面との少なくとも一方には他方に向かって突出する押え突部が形成されて、該環状突部における該押え突部との接触部分が該押え突部により圧縮された挟圧部とされており、該挟圧部において、該保持部と前記ハブとの間で該隔壁部材の該環状突部が圧縮状態で保持されていることを、特徴とする。
【０００８】
本態様に従う構造とされた隔壁部材付きハブ組立体では、隔壁部材の外周部分に環状突部を設けたことで、押し子ガイドの保持部とハブとの間での隔壁部材に及ぼされる保持力を、かかる環状突部に対して大きな面積をもって及ぼし易くなり、隔壁部材への保持力の向上が容易に図られ得る。
【０００９】
更に、本態様に従う構造とされた隔壁部材付きハブ組立体によれば、環状突部を押え突部で部分的に圧縮することで、押え突部による圧縮部位では大きな挟持力を作用させると共に、それを外れた部分では圧縮部位から押し出された容積相当分で環状突部に厚さ方向への弾性変形作用を及ぼして保持部とハブとの間での保持力を向上させ、全体として環状突部に対して大きな保持力を及ぼすことが可能になる。
【００１０】
このように単に押え突部による挟圧作用で及ぼされる保持力だけでなく、環状突部の全体に対して大きな抜出阻止力が発揮されるのであり、その結果、ハブ組立体における隔壁部材の位置ずれや脱落が効果的に防止されるのである。しかも、環状突部において大きな挟圧力が及ぼされる部位が、押え突部によって局所的とされることから、ハブに対する隔壁部材や押し子ガイド等の組付けも容易に行うことができる。
【００１１】
そのうえで、以下の第２，３の態様に従う構造とされた隔壁部材付きハブ組立体のように、環状突部の特定部位に対して、保持部の外周面またはハブの内周面に形成された押え突部により局所的に大きな圧縮力を及ぼしたことで、ハブに対する隔壁部材や押し子ガイド等の組付けを容易としつつ、ハブ内での隔壁部材の位置ずれや脱落を効果的に防止することを可能となし得た。
【００１２】
本発明の第２の態様は、前記第１の態様に係る隔壁部材付きハブ組立体において、前記保持部の外周面に押え突部が形成されて、該押え突部と前記ハブの内周面との間で前記隔壁部材の前記環状突部が圧縮状態で保持されているものである。
【００１３】
本発明の第３の態様は、前記第１又は第２の態様に係る隔壁部材付きハブ組立体において、前記ハブの内周面に押え突部が形成されて、該押え突部と前記保持部との間で前記隔壁部材の前記環状突部が圧縮状態で保持されているものである。
【００１４】
なお、これら第２，３の態様は、２つの態様に係る押え突部を相互に組み合わせることも可能であり、例えば、保持部の外周面に押え突部が形成されると共に、ハブの内周面に押え突部が形成されて、かかる保持部の外周面とハブの内周面とで隔壁部材の環状突部が圧縮状態で保持されてもよい。
【００１５】
本発明の第４の態様は、前記第２又は第３の態様に係る隔壁部材付きハブ組立体であって、前記環状突部において前記挟圧部より前記押し子の移動方向の後方側が該挟圧部に比べて厚肉とされているものである。
【００１６】
本態様に従う構造とされた隔壁部材付きハブ組立体によれば、保持部とハブとの間で保持された環状突部が抜け出すには、押え突部で径方向の対向面間距離が狭められた領域を通らなければならない。換言すれば、環状突部は、押え突部で最も圧縮されて薄肉とされた挟圧部よりも抜け出し方向の後方側が厚肉とされているから、かかる厚肉の部分がそれより薄肉の挟圧部を経て抜け出すに際しては、一層大きな抵抗力が及ぼされる。なお、環状突部における後方側は、ハブ内に隔壁部材が組み付けられて挟圧部に圧縮力が及ぼされた状態で該挟圧部より厚肉とされていれば良く、ハブに組み付けられる前の隔壁部材の単品状態での寸法形状は限定されない。
【００１７】
本発明の第５の態様は、前記第１〜第４の何れかの態様に係る隔壁部材付きハブ組立体において、前記押え突部により、前記隔壁部材の前記環状突部における突出方向の基端部が圧縮状態で保持されているものである。
【００１８】
本態様に従う構造とされた隔壁部材付きハブ組立体では、隔壁部材が、環状突部の突出方向の基端部において、押え突部により圧縮されて保持されていることから、環状突部における圧縮部分よりも突出方向先端側の領域が十分な長さや体積をもって確保される。従って、雄コネクタなどが挿入されて、隔壁部材が流体通路の長さ方向に引っ張られる際に、ハブの内周面と押え突部とにより狭幅とされる部分を通過する領域が長くなることから、ハブ組立体への雄コネクタなどの挿入時において、ハブ組立体からの隔壁部材の脱落がより効果的に防止され得る。
【００１９】
本発明の第６の態様は、流体通路を構成するハブの内部にスリット付きの隔壁部材が装着されていると共に、該隔壁部材に対して一方の側に筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、前記ハブの内周面に段差状部が設けられていると共に、該ハブの該段差状部において前記押し子側に向かって突出する押え突部が形成されており、前記隔壁部材が前記スリットの形成された中央部分よりも外周側において、該押え突部により前記押し子ガイドとの間で圧縮されて保持されていることを、特徴とする。
【００２０】
本発明の第７の態様は、流体通路を構成するハブの内部にスリット付きの隔壁部材が装着されていると共に、該隔壁部材に対して一方の側に筒状の押し子が配されて該流体通路の長さ方向で所定距離移動可能とされており、該押し子が該隔壁部材の該スリットに押し入れられることで該隔壁部材が連通されるようになっている隔壁部材付きハブ組立体において、前記隔壁部材の外周部分には前記流体通路の長さ方向で前記押し子側に向かって突出する環状突部が形成されていると共に、前記ハブの内部に組み付けられた部材には該押し子を移動方向へ案内するガイド部と該環状突部に入り込む保持部が設けられており、該保持部の外周面と前記ハブの内周面との少なくとも一方には他方に向かって突出して該環状突部に対して圧縮力を及ぼす押え突部が形成されていることを、特徴とする。
【００２１】
本発明の第８の態様は、前記第１〜第５の何れかの態様に係る隔壁部材付きハブ組立体において、前記隔壁部材には、前記環状突部の内周に沿って周方向に延びる環状凹溝が形成されており、該環状凹溝に対して前記押し子ガイドの前記保持部が入り込んでいると共に、該隔壁部材において該環状凹溝よりも内周に位置する中央部分に対して前記スリットが形成されているものである。
【００２２】
本態様に従う構造とされた隔壁部材付きハブ組立体では、隔壁部材において、押し子ガイド側に開口する環状凹溝が形成されていると共に、当該環状凹溝内に押し子ガイドの先端が入り込んでいる。これにより、例えば使用時に血圧等の圧力で隔壁部材が押し子側に膨らむように弾性変形させられる際にも、環状凹溝の内周側壁面と押し子ガイドの内周面とが当接することで、隔壁部材の逆流側への弾性変形に対して抵抗力が発揮される。それ故、隔壁部材のスリットを安定して閉鎖状態に保つことができて、隔壁部材からの血液等の逆流方向への漏出が効果的に防止され得る。
【００２３】
本発明の第９の態様は、前記第８の態様に係る隔壁部材付きハブ組立体において、前記流体通路の長さ方向において、前記中央部分よりも前記環状突部のほうが大きく突出しているものである。
【００２４】
本態様に従う構造とされた隔壁部材付きハブ組立体では、流体通路の長さ方向における寸法が、中央部分よりも環状突部の方が大きくされている。これにより、環状突部の長さ寸法を十分に確保することができて、押え突部とハブの内周面との圧縮作用などによる隔壁部材の保持効果が安定して発揮される。また、中央部分の長さ寸法の増大が抑えられることから、雄コネクタなどの挿入に伴う隔壁部材の中央部分における弾性変形が容易に実現されて、雄コネクタなどが良好に挿入され得る。
【００２５】
本発明の第１０の態様は、前記第８又は第９の態様に係る隔壁部材付きハブ組立体において、前記環状凹溝に挿し入れられた前記押し子ガイドの前記保持部と、該環状凹溝の内周側の壁面との間に、隙間があるものである。
【００２６】
本態様に従う構造とされた隔壁部材付きハブ組立体では、環状凹溝の内周側壁面と押し子ガイドの保持部との間に隙間が設けられていることにより、例えば押し子が隔壁部材の中央部分に押し付けられた初期段階において、隔壁部材が拡径変形させられる場合でも、かかる拡径変形が隙間で吸収されることで、隔壁部材の保持部への押し付けに起因する隔壁部材の開放操作時の変形抵抗が軽減されて、作動の安定性と容易化が図られる。加えて、隔壁部材や押し子ガイドなどの各部材の要求精度を隙間によって軽減することができて、各部材の製造も容易となる。
【発明の効果】
【００２７】
本発明に従う構造とされた隔壁部材付きハブ組立体では、ハブ内での隔壁部材の位置ずれや脱落が効果的に防止され得る。
【図面の簡単な説明】
【００２８】
【図１】本発明の１実施形態としての隔壁部材付きハブ組立体を備える外針ユニットの全体を示す斜視図。
【図２】図１に示された外針ユニットの正面図。
【図３】図１に示された外針ユニットを拡大して示す右側面図。
【図４】図３におけるＩＶ−ＩＶ断面図。
【図５】図１に示された外針ユニットの要部を拡大して示す縦断面図。
【図６】図５におけるＶＩ−ＶＩ断面図。
【図７】図１に示された外針ユニットの隔壁部材付きハブ組立体を構成する押し子ガイドを拡大して示す平面方向からの斜視図。
【図８】図７に示された押し子ガイドの底面方向からの斜視図。
【図９】図７に示された押し子ガイドの正面図。
【図１０】図７に示された押し子ガイドの平面図。
【図１１】図７に示された押し子ガイドの底面図。
【図１２】図１に示された外針ユニットの隔壁部材付きハブ組立体を構成する隔壁部材を拡大して示す平面図。
【図１３】図１２に示された隔壁部材を示す底面図。
【図１４】図１２におけるＸＩＶ−ＸＩＶ断面図。
【図１５】図１に示された外針ユニットの基端側から雄コネクタを挿入して流体通路を連通させた状態を説明するための縦断面説明図。
【図１６】本発明の別の実施形態としての隔壁部材付きハブ組立体を備える外針ユニットの要部を拡大して示す縦断面図。
【図１７】本発明の更に別の実施形態としての隔壁部材付きハブ組立体を備える外針ユニットの要部を拡大して示す縦断面図。
【発明を実施するための形態】
【００２９】
以下、本発明の実施形態について、図面を参照しつつ説明する。
【００３０】
先ず、図１〜６には、本発明の１実施形態としての隔壁部材付きハブ組立体１０を備えた留置針組立体における外針ユニット１２が示されている。本実施形態の外針ユニット１２は、隔壁部材付きハブ組立体１０の先端に対して中空の外針１３の基端が固着された構造とされており、かかる外針ユニット１２に対して、図示しない内針を備える公知の内針ユニットが挿通されることにより、留置針組立体が構成される。
【００３１】
また、本実施形態の隔壁部材付きハブ組立体１０では、ハブとしての外針ハブ１４の内部に、スリット１６が形成された隔壁部材としてのディスク弁１８が装着されている。そして、外針ハブ１４の内部において、ディスク弁１８の基端側には筒状の押し子２０と筒状の押し子ガイド２２が設けられている。この押し子ガイド２２により、押し子２０が、外針ハブ１４の軸方向で所定距離移動可能とされており、押し子２０がディスク弁１８のスリット１６に押し入れられることで、ディスク弁１８の先端側と基端側が連通されるようにされている。
【００３２】
なお、以下の説明において、軸方向とは外針ユニット１２が構成する流体通路の長さ方向のことであって、図２中の左右方向を言う。また、先端側とは、図２中の左方を言い、基端側とは、図２中の右方を言う。
【００３３】
より詳細には、外針ハブ１４は全体として略円筒形状とされており、先端側の口径よりも基端側の口径の方が大きくされている。特に基端側の内周面は、所定長さに亘って開口部に向かって次第に拡径するテーパ形状とされている。外針ハブ１４の先端部分には、外針１３の基端が流体密に固着されている。これら外針ハブ１４と外針１３は、何れも合成樹脂材料で形成されており、特に外針ハブ１４は硬質とされている。
【００３４】
なお、外針ハブ１４の基端側開口部２４の外周面には、ねじ山が設けられたロック部２８が形成されており、外針ハブ１４の基端側開口部２４に対してルアーロック式の雄コネクタ等を接続できるようになっている。また、外針ハブ１４の外周面には、使用者が把持し易いように複数の凹部３０が形成されている。
【００３５】
また、外針ハブ１４の内周面には、長さ方向の中間部分に環状の段差３２が段差状部として形成されており、段差３２よりも先端側の内径寸法が基端側の内径寸法よりも小さくされている。更に、段差３２よりも基端側の外針ハブ１４の内周面には、係合凸部３３が、周上で複数形成されている。なお、かかる係合凸部３３は、後述する押し子ガイド２２の係合凹部４８と対応する軸方向長さと突出高さを有している。
【００３６】
そして、このような外針ハブ１４の内部には、段差３２に接してディスク弁１８が配されていると共に、ディスク弁１８の外周部分に対して基端側から重ね合わされるようにして押し子ガイド２２が配されており、かかる押し子ガイド２２内に先端部分が挿入された状態で押し子２０が組み付けられている。そして、外針ハブ１４の内部において、押し子２０の先端がディスク弁１８に対して軸方向で対向配置されている。
【００３７】
かかる押し子２０は、軸方向両端が開口する略円筒形状とされており、軸方向略全長に亘って直線的にのびる通孔を形成する内周面３４を備えている。また、押し子２０の先端部分３６の外周面は、先端側に向かって次第に小径となるテーパ面形状とされている。一方、基端部分３８は、外周面が段差状に拡径されていると共に、内周面は基端側に向かって次第に拡径するテーパ形状とされている。
【００３８】
また、押し子２０の軸方向中間部分の外周面は、先端部分３６の最大外径寸法と基端部分の外径寸法との何れよりも小径とされている。これにより、押し子２０の軸方向中間部分の外周面が、周方向の全周に亘って連続して延びる凹溝４０とされている。そして、凹溝４０の先端側の壁面が、外針ハブ１４内での押し子２０の初期位置において押し子ガイド２２に係止されて軸方向に位置決めされる係止面４２とされている。
【００３９】
この押し子２０の先端部分３６が内挿されて組み付けられた押し子ガイド２２は、図７〜１１に示されているように、全体として略円筒形状とされており、軸方向略全長に亘って直線状に延びる挿通孔を形成する円形の内周面４３を備えている。押し子ガイド２２の外周面は、外針ハブ１４の内周面に嵌め入れられる嵌着面とされている。
【００４０】
また、押し子ガイド２２の内周面４３における基端部分には、内周側に突出する突出部４４が、周方向に連続した環状に形成されている。そして、この突出部４４が、押し子ガイド２２に差し入れられた押し子２０の外周面の凹溝４０内に入り込んでいる。また、押し子２０の初期位置において、押し子２０の係止面４２が突出部４４の軸方向先端の係止面４６に当接することにより、押し子２０の押し子ガイド２２からの基端側への抜け出しが阻止されて位置決めされるようになっている。
【００４１】
なお、突出部４４の内径寸法は、押し子２０の凹溝４０の底部外周面の径寸法と略同じか僅かに大きくされており、突出部４４の突出先端面により、凹溝４０の底壁面を保持させると共に、押し子ガイド２２内で押し子２０を略同軸的に支持して案内するようになっている。また、押し子ガイド２２の内径寸法は、押し子２０における先端部分３６の最大外径寸法と略等しいか僅かに大きくされている。
【００４２】
また、押し子ガイド２２の外周面は、外針ハブ１４の段差３２よりも基端側の内周面と略等しくされており、押し子ガイド２２の外周面の略全面が、外針ハブ１４の段差３２よりも基端側の内周面に対して当接状態で同軸的に保持されるようになっている。なお、押し子ガイド２２の外周面における軸方向中間部分には、周方向の全周に亘って連続して延びる係合凹部４８が設けられている。そして、外針ハブ１４の係合凸部３３と押し子ガイド２２の係合凹部４８との凹凸係合により、押し子ガイド２２が外針ハブ１４に対して軸方向で位置決めされて組み付けられている。
【００４３】
さらに、押し子ガイド２２の先端側端面５０には、内周縁部から先端側に向かって軸方向に突出する保持部５２が一体形成されている。この保持部５２は、周方向の全周に亘って連続した円筒形状とされており、後述するディスク弁１８の環状突部６０内に入り込むことで、外針ハブ１４の内周面と保持部５２の外周面とで環状突部６０を径方向で挟み込み、ディスク弁１８を保持するようになっている。
【００４４】
また、かかる保持部５２の先端部分における外周面には、外周側に突出する押え突部５４が形成されている。この押え突部５４は、周方向の全周に亘って連続して延びており、矩形断面を有する円環形状の突条とされている。
【００４５】
本実施形態では、保持部５２は、押し子ガイド２２に内挿されて係止面４６で後端側に位置決めされた押し子２０の先端よりも、更に軸方向先端側にまで突出して形成されている。そして、この保持部５２が、後述するディスク弁１８の環状凹溝５８に入り込んで、保持部５２および押え突部５４の先端面が環状凹溝５８の底壁面に当接させられることで、ディスク弁１８の外周部分を外針ハブ１４に対して保持させるようになっている。押え突部５４の外径寸法は、ディスク弁１８の組付状態において、後述するディスク弁１８の環状突部６０の内径寸法より大きくされて、環状突部６０の内周面に密着状態で重ね合わされるようになっている。
【００４６】
なお、上述の外針ハブ１４や押し子２０、押し子ガイド２２は、作用する外力に対して実質的に変形することなく初期形状を保ち得る程度の剛性を備えている。好適には、硬質の合成樹脂材料で形成されたものが採用され得る。
【００４７】
一方、かかる押し子ガイド２２により、外周縁部を外針ハブ１４に対して固定的に保持されて組み付けられたディスク弁１８は、図１２〜１４に単品状態で示されている。このディスク弁１８はゴムやエラストマー等の弾性材により形成されることで弾性変形可能な弁体とされており、厚さ寸法（図１４中の上下方向寸法）が略一定とされた厚肉円形の中央部分５６には、三又形状のスリット１６が貫通して形成されている。なお、かかるスリットは、直線状や十文字形状、中心から４方向以上に延び出す放射形状であってもよい。
【００４８】
また、ディスク弁１８の基端側端面（図１４中の下端面）には、外周縁近くを所定の径方向幅寸法で周方向の全周に亘って連続して延びる溝状の環状凹溝５８が形成されている。なお、本実施形態では、ディスク弁１８の単品状態での中央部分５６の外径寸法が、押し子ガイド２２の保持部５２の内径寸法と略同じか僅かに小さくされていると共に、環状凹溝５８の径方向幅寸法は、押し子ガイド２２における保持部５２および押え突部５４の先端面の径方向幅寸法と略同じかそれよりも大きくされている。
【００４９】
さらに、ディスク弁１８の外周縁部からは、基端側に向かって突出する環状突部６０が一体形成されている。この環状突部６０は、周方向の全周に亘って連続して形成されて略円筒形状とされており、環状凹溝５８の外周側の壁部がそのまま基端側に延長されるようにして環状突部６０が設けられている。
【００５０】
この環状突部６０の基端側端面は、中央部分５６の基端側端面よりも軸方向で基端側に大きく突出している。換言すれば、ディスク弁１８の軸方向厚さ寸法が、中央部分５６よりも外周部分の環状突部６０において大きくされている。
【００５１】
かかるディスク弁１８の単品状態での外径寸法は、外針ハブ１４における段差３２の外径寸法よりも僅かに大きくされている。これにより、ディスク弁１８が外針ハブ１４に組み付けられた状態では、ディスク弁１８に対して径方向の圧縮力が及ぼされて、スリット１６を閉鎖状態に保持する応力が与えられるようになっている。
【００５２】
上記の如き構造とされた外針ハブ１４に対して、ディスク弁１８と押し子２０と押し子ガイド２２とが組み付けられることにより、本実施形態の隔壁部材付きハブ組立体１０が構成されている。これらの組み付けは、例えば予めディスク弁１８と押し子２０と押し子ガイド２２とを組み付けておき、これらの組付体を、外針ハブ１４の基端側開口部２４から、係合凸部３３と係合凹部４８が係合するまで圧入することにより実現され得る。
【００５３】
組付状態における隔壁部材付きハブ組立体１０では、ディスク弁１８の先端面における外周端部が、外針ハブ１４における内周面の段差３２に当接している。一方、ディスク弁１８の基端面に設けられた環状突部６０の基端側端面が押し子ガイド２２の先端側端面５０に当接していると共に、環状凹溝５８の底壁面が押し子ガイド２２の保持部５２および押え突部５４の先端面に当接している。これにより、ディスク弁１８の外周端部が、外針ハブ１４における内周面の段差３２と押し子ガイド２２の先端側端面５０、保持部５２および押え突部５４とにより軸方向で挟持固定されている。なお、これらはゼロタッチで当接していてもよいが、本実施形態では、軸方向で押し付けられて、ディスク弁１８の外周端部が径方向だけでなく軸方向でも圧縮されている。或いは、保持部５２および押え突部５４が環状凹溝５８に入り込んだ状態で、環状凹溝５８の底壁面と保持部５２および押え突部５４の先端面とは離隔していてもよい。
【００５４】
かかる組付状態では、ディスク弁１８が外針ハブ１４の内周面により径方向で圧縮されることから、環状突部６０の内外周面が保持部５２の外周面および外針ハブ１４の内周面に押し付けられて圧縮されると共に、保持部５２から外周側に突出する押え突部５４が、ディスク弁１８の環状突部６０の突出基端部分に対して、内周側から外周側に食い込むようにして圧縮する。これにより、ディスク弁１８の環状突部６０における押え突部５４と接触する部分が、当該押え突部５４により径方向で更に圧縮される挟圧部６２とされている。かかる挟圧部６２が環状突部６０の突出基端部分に形成されることにより、挟圧部６２よりも基端側が、挟圧部６２に対して厚肉となるようにされている。また、ディスク弁１８が外針ハブ１４の外周面により径方向で圧縮されることから、ディスク弁１８の環状凹溝５８の内周側の壁面と押し子ガイド２２の保持部５２の内周面との径方向間には、径方向に広がって周方向の全周に亘って連続する円環形状の隙間６４が形成される。
【００５５】
さらに、上記の如き組付状態では、ディスク弁１８の中央部分５６の基端面と押し子２０の先端面とが当接していることが好適である。これにより、押し子２０の先端側の位置を規定することができて、押し子２０がディスク弁１８と押し子ガイド２２との間で軸方向で位置決めされ得ると共に、押し子２０が軸方向に対して傾くおそれが低減され得る。
【００５６】
上記の如き構造とされた隔壁部材付きハブ組立体１０の先端に対して、外針１３の基端が固着されることにより、本実施形態の外針ユニット１２が構成されている。外針１３としては、従来公知のものが採用され得て、例えば特許文献１に示されるようにステンレス鋼などにより形成された金属製の中空針とされてもよいが、適度な可撓性を有する材料、例えば各種の軟質樹脂により形成されてもよい。また、外針１３の先端部には、先細となるテーパ状外周面６６が形成されて、生体への穿刺抵抗が軽減されていると共に、外針１３の先端部の周壁には、複数の貫通孔６８が設けられて、外針１３に対する流体の流通効率の向上が図られている。
【００５７】
さらに、かかる外針ユニット１２に対して、内針を備える内針ユニットを挿通することにより、留置針組立体が構成される。この内針ユニットとしては、例えば特開２０１２−１３０５２３号公報に記載の内針ハブ（１２）から内針（１０）が延び出している構造などが挙げられる。尤も、上記公報に記載の内針ハブ（１２）には針先保護用プロテクタ（７８）が設けられているが、このような針先保護のための構造は必須ではない。また、内針は中実針であってもよい。なお、外針ユニット１２に対して内針ユニットを挿通することにより、内針がディスク弁１８の中央部分５６のスリット１６に挿通されるが、押し子２０の位置は図４等に示される初期位置に位置しており、ディスク弁１８が大きく弾性変形させられることはない。
【００５８】
上記の如き構造とされた留置針組立体を使用するに際しては、先ず、留置針組立体を患者の血管に穿刺した後、内針ユニットを外針ユニット１２から基端側に引き抜くことにより、外針ユニット１２を患者の血管に穿刺された状態で留置する。その際、ディスク弁１８から内針が抜去されることにより、ディスク弁１８が初期形状に復元されて、スリット１６が閉鎖される。これにより、患者の血液が、外針ユニット１２内において、ディスク弁１８より基端側へ逆流して漏れ出すことが防止され得る。
【００５９】
そして、図１５に示されているように、外側ユニット１２の基端側から雄コネクタであるシリンジ７０の先端部分を挿入して、外側ユニット１２の基端側開口部２４に対して解除可能にテーパ係合して接続させる。または、雄コネクタとしてルアーロックコネクタが採用される場合には、ロック部２８に対してねじ固定して接続させる。これに伴い、押し子２０がシリンジ７０の先端部分により軸方向先端側に押し込まれると共に、押し子２０の先端部分３６がディスク弁１８のスリット１６に押し入れられる。この結果、ディスク弁１８の中央部分５６が軸方向先端側に弾性変形し、スリット１６が開放されて、ディスク弁１８の基端側と先端側が連通する。これにより、シリンジ７０の内部領域から外針ユニット１２の内部を経て、患者の血管内へと至る流体通路７２が構成される。かかる流体通路７２を通じて、輸液や輸血、採血等が実施される。
【００６０】
なお、押し子２０が軸方向先端側に押し込まれる際には、押し子２０の外周面が、押し子ガイド２２、および押し子ガイド２２に設けられた突出部４４の内周面にゼロタッチで当接、または僅かな離隔距離を隔てて離隔していることから、押し子２０は、押し子ガイド２２の内周面に沿って移動して軸方向先端側のディスク弁１８に押し込まれる。或いは、軸方向に対して傾斜したとしても、僅かな傾斜角度をもって、押し子２０がディスク弁１８に押し込まれる。
【００６１】
そして、治療後または治療中断時には、シリンジ７０を外針ユニット１２の基端側開口部２４から引き抜くことにより、ディスク弁１８が初期形状に復元変形すると共に、この弾性復元力によって押し子２０が基端側に押し戻される。かかる押し子２０の基端側への移動は、ディスク弁１８が初期形状に復元するか、押し子２０と押し子ガイド２２のそれぞれの係止面４２，４６が当接することによって制限される。かかる操作は片手で行うことができて医療従事者の労力を軽減させ得るだけでなく、他の治療も同時に行うことができることから、治療の効率も向上させることができる。
【００６２】
上記の如き構造とされた本実施形態の隔壁部材付きハブ組立体１０では、ディスク弁１８の外周端部が、外針ハブ１４の内周面に設けられた段差３２と押し子ガイド２２との軸方向間で挟持されるだけでなく、ディスク弁１８に設けられた環状突部６０が、押し子ガイド２２の先端に設けられた保持部５２と外針ハブ１４との径方向間でも挟持される。これにより、ディスク弁１８が外針ハブ１４に対して安定して支持されて、シリンジ７０の挿入時において、ディスク弁１８に対して軸方向先端側への押込力が及ぼされても、外針ハブ１４からのディスク弁１８の位置ずれや脱落のおそれが低減され得る。
【００６３】
また、本実施形態では、保持部５２における先端の外周面に押え突部５４が設けられており、この押え突部５４が環状突部６０の突出基端部分に位置して、外針ハブ１４との径方向間で、当該部分を特に圧縮して挟圧部６２を形成している。これにより、シリンジ７０の挿入時において、ディスク弁１８に対して軸方向先端側への押込力が及ぼされて、ディスク弁１８が軸方向先端側へ引っ張られても、挟圧部６２において、ディスク弁１８の外針ハブ１４に対する固定力が大きくされていることから、外針ハブ１４からのディスク弁１８の位置ずれや脱落のおそれが一層低減され得る。
【００６４】
すなわち、外針ハブ１４と保持部５２との間で保持された押え突部５４では、かかる保持部５２からの抜け出し方向の先端側が最も圧縮されて薄肉とされた挟圧部６２とされていることから、かかる挟圧部６２よりも抜け出し方向の後方側が厚肉とされることで、当該厚肉の領域が押え突部５４と外針ハブ１４との間で首を締めるように狭められた狭窄対向面間を通って抜け出し難くなっており、機械的なアンカー効果による抜け出しの阻止力も有効に発揮され得る。
【００６５】
さらに、ディスク弁１８における押え突部５４の外周部分は、押え突部５４が食い込んで圧縮された体積相当分が押え突部５４から軸方向に逃げることから、環状突部６０に対する外針ハブ１４および保持部５２の押し付け面圧を増大させることができる。この結果、環状突部６０と外針ハブ１４および保持部５２との摩擦を大きくすることができて、外針ハブ１４からのディスク弁１８の位置ずれや脱落が効果的に防止され得る。
【００６６】
更にまた、本実施形態では、保持部５２および押え突部５４の先端がディスク弁１８の環状凹溝５８内に入り込むことから、例えば血圧によりディスク弁１８が軸方向基端側に膨らんで弾性変形する場合にも、かかる弾性変形が効果的に制限される。即ち、ディスク弁１８が軸方向基端側に弾性変形する際には、環状凹溝５８の内周側壁面と保持部５２の内周面とが当接して、それ以上の弾性変形が制限される。これにより、ディスク弁１８が軸方向基端側へ弾性変形してスリット１６が開放されることによる血液の漏出が、効果的に防止され得る。
【００６７】
また、本実施形態のディスク弁１８では、中央部分５６の軸方向厚さ寸法に比べて、環状突部６０の形成部位における軸方向厚さ寸法が大きくされており、即ち、中央部分５６の厚さ寸法を小さく抑えつつ環状突部６０の厚さ寸法を大きくしている。これにより、環状突部６０によるディスク弁１８の支持力が十分に確保されると共に、シリンジ７０挿入時における中央部分５６の弾性変形の容易性も十分に確保される。
【００６８】
特に、本実施形態では、保持部５２と環状凹溝５８の内周側壁面との間には隙間６４が設けられていることから、押し子２０がディスク弁１８の中央部分５６に押し付けられて弾性変形し始める際において、中央部分５６の拡径変形が容易に許容される。これにより、中央部分５６の弾性変形の容易性、即ちシリンジ７０の挿入容易性が向上され得る。また、かかる隙間６４により、ディスク弁１８や押し子ガイド２２などの各部材において、要求される寸法精度を軽減することができて、これら各部材の製造が容易とされ得る。
【００６９】
以上、本発明の実施形態について詳述してきたが、本発明はその具体的な記載によって限定されることなく、当業者の知識に基づいて種々なる変更，修正，改良などを加えた態様で実施され得るものであり、また、そのような実施態様も、本発明の趣旨を逸脱しない限り、何れも本発明の範囲内に含まれる。
【００７０】
例えば、前記実施形態では、隔壁部材付きハブ組立体１０の先端に外針１３が固着されており、かかる外針ユニット１２に対して内針ユニットが挿通されて留置針組立体が構成されていたが、隔壁部材付きハブ組立体１０の先端にはカテーテルやチューブが固着されることにより、外針ユニットに対して内針ユニットが挿通されて留置用カテーテル組立体などが構成されてもよい。このような留置用カテーテル組立体などにおいても、ハブの内部に装着された隔壁部材の位置ずれや脱落が効果的に防止され得る。
【００７１】
また、前記実施形態では、環状突部６０の内周面に対して保持部５２の外周面が押し付けられていたが、ゼロタッチで当接していたり、隙間をもって対向位置していてもよい。更に、環状突部６０の基端側端面と押し子ガイド２２の先端側端面５０との対向面間にも隙間が形成されていてもよい。
【００７２】
更にまた、前記実施形態では、保持部５２が環状凹溝５８に入り込むと共に、保持部５２の先端部分における外周面に押え突部５４が形成されて、環状突部６０の突出基端部分を圧縮するようにされていたが、かかる態様に限定されない。即ち、押え突部が、保持部の軸方向中間部分に形成されて、環状突部の突出方向中間部分が圧縮されていてもよいし、保持部が環状突部の突出方向中間部分までの長さとされて、かかる保持部の先端部分に押え突部が設けられることで、環状突部の突出方向中間部分が圧縮されてもよい。また、本発明において、環状凹溝５８は必須でなく、所定厚さの円板形状を有するディスク弁の外周縁部から環状突部６０だけを基端側に向かって軸方向に突出形成しても良い。
【００７３】
さらに、本発明において、保持部５２の内周面とディスク弁１８の環状凹溝５８における内周側の壁面との隙間６４は必須なものではない。即ち、隔壁部材付きハブ組立体１０の組立状態において、保持部５２の内周面とディスク弁１８の中央部分５６における外周面は当接していてもよく、これにより、ディスク弁１８が基端側に弾性変形させられることが一層有利に制限されて、血液の漏出防止作用が更に効果的に発揮され得る。
【００７４】
また、前記実施形態では、環状突部６０、保持部５２、環状凹溝５８、押え突部５４、段差３２などが何れも周方向の全周に亘って連続して形成されていたが、それらの少なくとも一つを周方向で断続的に形成することも可能である。
【００７５】
更にまた、前記実施形態では、環状突部６０の基端側端面が中央部分５６の基端側端面よりも軸方向に突出して形成されていたが、それら環状突部６０と中央部分５６の軸方向端面の位置は特に限定されない。
【００７６】
また、前記実施形態では、環状突部６０が軸方向に延びる略円筒形状とされていたが、例えば環状突部の内周面や外周面から径方向に突出する突起などを設けてもよい。
【００７７】
さらに、前記実施形態では、保持部５２の外周面に押え突部５４が形成されていたが、かかる態様に限定されない。即ち、図１６に示されるように、押え突部７４は、例えば外針ハブ１４の内周面から内周側に向かって突出して形成されて、かかる押え突部７４と保持部５２との間でディスク弁１８の環状突部６０が圧縮状態で保持されてもよい。従って、図１６に示される態様では、環状突部６０において、押え突部７４と保持部５２との径方向間で挟まれて圧縮されている部分が挟圧部６２とされており、環状突部６０における挟圧部６２よりも基端側は、挟圧部６２よりも厚肉とされている。或いは、図１７に示されるように、押え突部７６は、例えば外針ハブ１４における内周面の段差３２から基端側に向かって略軸方向に突出して形成されてもよい。このような押え突部７６により、保持部５２と外針ハブ１４との間において径方向等で環状突部６０が圧縮状態で保持されたり、押え突部７６と押し子ガイド２２との間において軸方向等でディスク弁１８における環状突部６０の基端側部分とされるディスク弁１８の外周部分等が圧縮状態で保持されてもよい。従って、図１７に示される態様では、ディスク弁１８において、押え突部７６と押し子ガイド２２との軸方向間で挟まれて圧縮されている部分が挟圧部６２とされている。なお、上述の押え突部５４，７４，７６は適宜に組み合わせて採用されてもよく、例えば保持部の外周面と外針ハブの内周面に押え突部が形成されて、かかる保持部の外周面と外針ハブの内周面との間で隔壁部材の環状突部が組付け前に比べて薄肉化されるように圧縮状態で保持されてもよい。また、環状突部は、押え突部により圧縮された挟圧部よりも押し子の移動方向の後方側（基端側）が厚肉とされていることが好ましいが、この場合、当該厚肉部分は挟圧部同様圧縮状態であってもよいし、非圧縮状態であってもよい。尤も、本発明において、押え突部は必須でなく、単に保持部の外周面と外針ハブの内周面との間で隔壁部材の環状突部が組付け前に比べて薄肉化されるように圧縮状態で保持されてもよい。
【００７８】
そして、図１６に示された押え突部７４では、環状突部６０に対して、特に環状凹溝５８の外周壁を構成する環状突部６０の立ち上がりの基端部分である挟圧部６２に対して、径方向で大きな圧縮力が及ぼされて、環状突部６０が保持部５２と外針ハブ１４との間で圧縮状態で強固に保持され得る。また、図１７に示された押え突部７６では、環状突部６０に対して、特に環状凹溝５８の底部から外周側を構成する環状突部６０の立ち上がっていないベース部分に対して、保持部５２と外針ハブ１４との対向面間で圧縮力が有効に及ぼされて、圧縮状態で保持され得る。なお、圧縮力を及ぼす対向面は、保持部５２の先端面および外周面と押し子ガイド２２の先端側端面５０を含んで構成されると共に、外針ハブ１４の筒状の周壁内面と段差面３２を含んで構成される。また、これらの対向面で圧縮力を及ぼされる挟圧部６２としての領域は、環状凹溝５８の外周側で立ち上がった環状突部６０だけでなく、立ち上がっていないベース部分（環状凹溝５８の底壁とその外周側への延長部分）にまで及ばせることが可能である。
【００７９】
すなわち、図１７に示された構造によれば、保持部５２の外周面と外針ハブ１４の周壁内面との径方向対向面間で、環状突部６０を圧縮状態で保持させることが可能であると共に、押し子ガイド２２における保持部５２の軸方向先端面および先端側端面５０と外針ハブ１４における段差面３２および押え突部７６の突出先端面との軸方向対向面間で、ベース部分を含む環状突部６０を圧縮状態で保持させることが可能となる。しかも、環状突部６０のベース部分が押え突部７６で軸方向に強く圧縮されることに伴って、環状突部６０が保持部５２と外針ハブ１４との間へ押し込まれるように弾性変形することから、それら保持部５２と外針ハブ１４との径方向対向面間での環状突部６０に対する圧縮保持力も向上され得る。
【００８０】
従って、これら図１６，図１７の何れに記載の構造でも、前述の実施形態の押え突部５４を備えた実施形態と同様に環状突部６０ひいてはディスク弁１８に対して効果的な保持作用などが発揮され得る。
【００８１】
なお、図１６および図１７に示された態様においても、ディスク弁１８の外針ハブ１４への組付前で外力が及ぼされていない単体状態では、環状突部６０の径方向厚さ寸法や軸方向長さ寸法が、押し子ガイド２２の保持部５２と外針ハブ１４との間に形成される領域の内法寸法よりも小さくされていても良く、ディスク弁１８の外針ハブ１４への組付状態で、環状突部６０を含むディスク弁１８の外周部分が押し子ガイド２２と押え突部７４、７６や外針ハブ１４などで圧縮されることにより弾性変形して、保持部５２や外針ハブ１４等による圧縮状態で保持されるようになっていればよい。
【００８２】
尤も、図１７に示される態様では、保持部５２や環状突部６０は必須ではない。即ち、かかる態様では、外針ハブの内周面に設けられた段差状部と押し子ガイドとの軸方向間で隔壁部材が圧縮状態で保持されていればよく、更に、段差状部から押し子側に向かって突出する押え突部が形成されて、当該押え突部と段差状部との間で隔壁部材が圧縮状態で保持されていることが好ましい。これにより、隔壁部材が、段差状部と押し子ガイドとの軸方向間でより強い保持力をもって装着されるだけでなく、押え突部が雄コネクタ等の挿入方向と反対の方向に突出していることから、隔壁部材が挿入方向に引っ張られる際には押え突部が引っ掛かりとなる。それ故、雄コネクタ等の挿入時において、外針ハブからの隔壁部材の位置ずれや脱落防止の効果が一層効果的に発揮され得る。
【００８３】
また、押え突部５４，７４，７６の形状は限定されるものではなく、実施形態の如き矩形断面を有する円環形状の他、半円等の弦月状の断面形状や三角の断面形状をもって形成したり、周方向で突出高さ等の断面形状が異なる形状も採用可能である。尤も、押え突部の形状を円環形状にすることで、全周に亘り等しく隔壁部材保持力が向上する、また、部品に偏った力が掛からないという効果を奏する。
【００８４】
さらに、前記実施形態において、隔壁部材はディスク弁を採用しているが、隔壁部材は液体が通過しないようにハブ内に取り付けられて、且つ、押し子により連通するスリットを有するようであれば形状は問わない。例えば、隔壁部材は、スリットの長さ寸法が隔壁部材の幅寸法より長い円柱形状の弁であってもよいし、二枚の柔軟な弾性片等が先端で当接してスリットを形成するように重ね合わされて逆流を防止するアヒルのくちばし形状の弁、所謂ダックビル弁であってもよく、隔壁部材の外周部分において流体通路の長さ方向で押し子側に向かって突出する環状突部が形成されてさえいればよい。
【００８５】
なお、本発明に採用される、隔壁部材に設けられるスリットは、先端側の開口寸法（前記各実施形態におけるスリットの径方向長さ）よりも基端側の開口寸法が大きくされることが好ましい。これにより、血液が逆流する際においてもスリットを開放されにくくすることができて、血圧に対する耐圧性を向上させることができる。
【００８６】
なお、明細書に記載された発明は、親出願の出願当初の各請求項に記載されていたとおり、以下の各態様を含む。
本発明の（１）の態様は、流体通路を構成するハブの内部にスリット付きの隔壁部材が装着されていると共に、該隔壁部材に対して一方の側に筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、前記隔壁部材の外周部分において前記流体通路の長さ方向で前記押し子側に向かって突出する環状突部が形成されている一方、前記押し子ガイドにおける該隔壁部材側の軸方向先端部において該環状突部内に入り込む保持部が形成されており、該保持部と前記ハブとの間で該隔壁部材の該環状突部が圧縮状態で保持されていることを、特徴とする。
本態様に従う構造とされた隔壁部材付きハブ組立体では、隔壁部材の外周部分に環状突部を設けたことで、押し子ガイドの保持部とハブとの間での隔壁部材に及ぼされる保持力を、かかる環状突部に対して大きな面積をもって及ぼし易くなり、隔壁部材への保持力の向上が容易に図られ得る。
本発明の（２）の態様は、前記第１の態様に係る隔壁部材付きハブ組立体において、前記保持部と前記ハブとの少なくとも一方に押え突部が形成されて、前記隔壁部材における該押え突部との接触部分は該押え突部により圧縮された挟圧部とされているものである。  本態様に従う構造とされた隔壁部材付きハブ組立体によれば、環状突部を押え突部で部分的に圧縮することで、押え突部による圧縮部位では大きな挟持力を作用させると共に、それを外れた部分では圧縮部位から押し出された容積相当分で環状突部に厚さ方向への弾性変形作用を及ぼして保持部とハブとの間での保持力を向上させ、全体として環状突部に対して大きな保持力を及ぼすことが可能になる。
このように単に押え突部による挟圧作用で及ぼされる保持力だけでなく、環状突部の全体に対して大きな抜出阻止力が発揮されるのであり、その結果、ハブ組立体における隔壁部材の位置ずれや脱落が効果的に防止されるのである。しかも、環状突部において大きな挟圧力が及ぼされる部位が、押え突部によって局所的とされることから、ハブに対する隔壁部材や押し子ガイド等の組付けも容易に行うことができる。
そのうえで、以下の（３），（４）の態様に従う構造とされた隔壁部材付きハブ組立体のように、環状突部の特定部位に対して、保持部の外周面またはハブの内周面に形成された押え突部により局所的に大きな圧縮力を及ぼしたことで、ハブに対する隔壁部材や押し子ガイド等の組付けを容易としつつ、ハブ内での隔壁部材の位置ずれや脱落を効果的に防止することを可能となし得た。
本発明の（３）の態様は、前記（２）の態様に係る隔壁部材付きハブ組立体において、前記保持部の外周面に押え突部が形成されて、該押え突部と前記ハブの内周面との間で前記隔壁部材の前記環状突部が圧縮状態で保持されているものである。
本発明の（４）の態様は、前記（２）又は（３）の態様に係る隔壁部材付きハブ組立体において、前記ハブの内周面に押え突部が形成されて、該押え突部と前記保持部との間で前記隔壁部材の前記環状突部が圧縮状態で保持されているものである。
なお、これら（３），（４）の態様は、２つの態様に係る押え突部を相互に組み合わせることも可能であり、例えば、保持部の外周面に押え突部が形成されると共に、ハブの内周面に押え突部が形成されて、かかる保持部の外周面とハブの内周面とで隔壁部材の環状突部が圧縮状態で保持されてもよい。
本発明の（５）の態様は、前記（３）又は（４）の態様に係る隔壁部材付きハブ組立体であって、前記環状突部において前記挟圧部より前記押し子の移動方向の後方側が該挟圧部に比べて厚肉とされているものである。
本態様に従う構造とされた隔壁部材付きハブ組立体によれば、保持部とハブとの間で保持された環状突部が抜け出すには、押え突部で径方向の対向面間距離が狭められた領域を通らなければならない。換言すれば、環状突部は、押え突部で最も圧縮されて薄肉とされた挟圧部よりも抜け出し方向の後方側が厚肉とされているから、かかる厚肉の部分がそれより薄肉の挟圧部を経て抜け出すに際しては、一層大きな抵抗力が及ぼされる。なお、環状突部における後方側は、ハブ内に隔壁部材が組み付けられて挟圧部に圧縮力が及ぼされた状態で該挟圧部より厚肉とされていれば良く、ハブに組み付けられる前の隔壁部材の単品状態での寸法形状は限定されない。
本発明の（６）の態様は、前記（２）〜（５）の何れかの態様に係る隔壁部材付きハブ組立体において、前記押え突部により、前記隔壁部材の前記環状突部における突出方向の基端部が圧縮状態で保持されているものである。
本態様に従う構造とされた隔壁部材付きハブ組立体では、隔壁部材が、環状突部の突出方向の基端部において、押え突部により圧縮されて保持されていることから、環状突部における圧縮部分よりも突出方向先端側の領域が十分な長さや体積をもって確保される。従って、雄コネクタなどが挿入されて、隔壁部材が流体通路の長さ方向に引っ張られる際に、ハブの内周面と押え突部とにより狭幅とされる部分を通過する領域が長くなることから、ハブ組立体への雄コネクタなどの挿入時において、ハブ組立体からの隔壁部材の脱落がより効果的に防止され得る。
本発明の（７）の態様は、流体通路を構成するハブの内部にスリット付きの隔壁部材が装着されていると共に、該隔壁部材に対して一方の側に筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、前記ハブの内周面に段差状部が設けられており、前記隔壁部材が該段差状部と前記押し子ガイドに挟まれて圧縮状態で保持されていることを、特徴とする。
本態様に従う構造とされた隔壁部材付きハブ組立体では、ハブの内周面に段差状部が設けられて、当該段差状部と押し子ガイドとの軸方向間で隔壁部材が挟まれて圧縮状態で保持されることから、ハブ内に装着された隔壁部材の位置ずれや脱落が効果的に防止される。なお、段差状部と押し子ガイドとの軸方向間での挟圧部分は、隔壁部材においてスリットが形成された中央部分を外周側に外れた領域に設定されることが望ましい。
本発明の（８）の態様は、前記（７）の態様に係る隔壁部材付きハブ組立体であって、前記段差状部において前記押し子側に向かって突出する押え突部が形成されて、該押え突部と前記押し子ガイドとの間で前記隔壁部材が圧縮状態で保持されているものである。
本態様に従う構造とされた隔壁部材付きハブ組立体では、段差状部において押し子側に向かって突出する押え突部が形成されて、当該押え突部と押し子ガイドとの間で隔壁部材が圧縮されることから、局所的により強い圧縮力をもって、隔壁部材が保持される。特に、ハブ組立体への雄コネクタなどの挿入方向に対して反対方向に押え突部が突出していることから、隔壁部材が挿入方向に引っ張られる際に、押え突部が引っ掛かり作用を示して、ハブ内に装着された隔壁部材の位置ずれや脱落が一層効果的に防止される。
【符号の説明】
【００８７】
１０：隔壁部材付きハブ組立体、１４：外針ハブ（ハブ）、１６：スリット、１８：ディスク弁（隔壁部材）、２０：押し子、２２：押し子ガイド、３２：段差（段差状部）、５２：保持部、５４，７４，７６：押え突部、５６：中央部分、５８：環状凹溝、６０：環状突部、６４：隙間、７２：流体通路
【図１】
2019195721.tif 000003
【図２】
2019195721.tif 000004
【図３】
2019195721.tif 000005
【図４】
2019195721.tif 000006
【図５】
2019195721.tif 000007
【図６】
2019195721.tif 000008
【図７】
2019195721.tif 000009
【図８】
2019195721.tif 000010
【図９】
2019195721.tif 000011
【図１０】
2019195721.tif 000012
【図１１】
2019195721.tif 000013
【図１２】
2019195721.tif 000014
【図１３】
2019195721.tif 000015
【図１４】
2019195721.tif 000016
【図１５】
2019195721.tif 000017
【図１６】
2019195721.tif 000018
【図１７】
2019195721.tif 000019
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
流体通路を構成するハブの内部にスリット付きの隔壁部材が装着されていると共に、該隔壁部材に対して一方の側に該スリットよりも大きな外径の先端面を有する筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、
前記隔壁部材の外周部分において前記流体通路の長さ方向で前記押し子側に向かって突出する環状突部が形成されている一方、前記押し子ガイドにおける該隔壁部材側の軸方向先端部において該環状突部内に入り込む保持部が形成されていると共に、該保持部の外周面と前記ハブの内周面との少なくとも一方には他方に向かって突出する押え突部が形成されて、該環状突部における該押え突部との接触部分が該押え突部により圧縮された挟圧部とされており、該挟圧部において、該保持部と前記ハブとの間で該隔壁部材の該環状突部が圧縮状態で保持されていることを特徴とする隔壁部材付きハブ組立体。
【請求項２】
前記環状突部が前記保持部と前記ハブとの間で圧縮されている請求項１に記載の隔壁部材付きハブ組立体。
【請求項３】
前記環状突部において前記狭圧部が更に圧縮されている請求項２に記載の隔壁部材付きハブ組立体。
【請求項４】
前記保持部の外周面に前記押え突部が形成されて、該押え突部と前記ハブの内周面との間で前記隔壁部材の前記環状突部が圧縮状態で保持されている請求項１〜３の何れか１項に記載の隔壁部材付きハブ組立体。
【請求項５】
前記ハブの内周面に前記押え突部が形成されて、該押え突部と前記保持部との間で前記隔壁部材の前記環状突部が圧縮状態で保持されている請求項１〜４の何れか１項に記載の隔壁部材付きハブ組立体。
【請求項６】
前記環状突部において前記挟圧部より前記押し子の移動方向の後方側が該挟圧部に比べて厚肉とされている請求項４又は５に記載の隔壁部材付きハブ組立体。
【請求項７】
前記押え突部により、前記隔壁部材の前記環状突部における突出方向の基端部が圧縮状態で保持されている請求項１〜６の何れか１項に記載の隔壁部材付きハブ組立体。
【請求項８】
流体通路を構成するハブの内部にスリット付きの隔壁部材が装着されていると共に、該隔壁部材に対して一方の側に該スリットよりも大きな外径の先端面を有する筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、
前記ハブの内周面に段差状部が設けられていると共に、該ハブの該段差状部において前記押し子側に向かって突出する押え突部が形成されており、前記隔壁部材が前記スリットの形成された中央部分よりも外周側において、該押え突部により前記押し子ガイドとの間で圧縮されて保持されていることを特徴とする隔壁部材付きハブ組立体。
【請求項９】
流体通路を構成するハブの内部にスリット付きの隔壁部材が装着されていると共に、該隔壁部材に対して一方の側に該スリットよりも大きな外径の先端面を有する筒状の押し子が配されて該流体通路の長さ方向で所定距離移動可能とされており、該押し子が該隔壁部材の該スリットに押し入れられることで該隔壁部材が連通されるようになっている隔壁部材付きハブ組立体において、
前記隔壁部材の外周部分には前記流体通路の長さ方向で前記押し子側に向かって突出する環状突部が形成されていると共に、前記ハブの内部に組み付けられた部材には該押し子を移動方向へ案内するガイド部と該環状突部に入り込む保持部が設けられており、該保持部の外周面と前記ハブの内周面との少なくとも一方には他方に向かって突出して該環状突部に対して圧縮力を及ぼす押え突部が形成されていることを特徴とする隔壁部材付きハブ組立体。
【請求項１０】
流体通路を構成するハブの内部にスリット付きの隔壁部材が装着されていると共に、該隔壁部材に対して一方の側に筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、
前記隔壁部材には、前記ハブへの装着状態で前記押し子ガイドと前記ハブとによって囲まれた領域に配された外周部分において、
該押し子ガイド又は前記ハブに対して係合された凹状の部分が設けられていることを特徴とする隔壁部材付きハブ組立体。
【手続補正２】
【補正対象書類名】明細書
【補正対象項目名】０００７
【補正方法】変更
【補正の内容】
【０００７】
本発明の第１の態様は、流体通路を構成するハブの内部にスリット付きの隔壁部材が装着されていると共に、該隔壁部材に対して一方の側に該スリットよりも大きな外径の先端面を有する筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、前記隔壁部材の外周部分において前記流体通路の長さ方向で前記押し子側に向かって突出する環状突部が形成されている一方、前記押し子ガイドにおける該隔壁部材側の軸方向先端部において該環状突部内に入り込む保持部が形成されていると共に、該保持部の外周面と前記ハブの内周面との少なくとも一方には他方に向かって突出する押え突部が形成されて、該環状突部における該押え突部との接触部分が該押え突部により圧縮された挟圧部とされており、該挟圧部において、該保持部と前記ハブとの間で該隔壁部材の該環状突部が圧縮状態で保持されていることを、特徴とする。
【手続補正３】
【補正対象書類名】明細書
【補正対象項目名】００１１
【補正方法】変更
【補正の内容】
【００１１】
そのうえで、以下の第４，５の態様に従う構造とされた隔壁部材付きハブ組立体のように、環状突部の特定部位に対して、保持部の外周面またはハブの内周面に形成された押え突部により局所的に大きな圧縮力を及ぼしたことで、ハブに対する隔壁部材や押し子ガイド等の組付けを容易としつつ、ハブ内での隔壁部材の位置ずれや脱落を効果的に防止することを可能となし得た。なお、本発明の第２の態様は、前記第１の態様に係る隔壁部材付きハブ組立体において、前記環状突部が前記保持部と前記ハブとの間で圧縮されているものである。また、本発明の第３の態様は、前記第２の態様に係る隔壁部材付きハブ組立体において、前記環状突部において前記狭圧部が更に圧縮されているものである。
【手続補正４】
【補正対象書類名】明細書
【補正対象項目名】００１２
【補正方法】変更
【補正の内容】
【００１２】
そして、本発明の第４の態様は、前記第１〜第３の何れかの態様に係る隔壁部材付きハブ組立体において、前記保持部の外周面に押え突部が形成されて、該押え突部と前記ハブの内周面との間で前記隔壁部材の前記環状突部が圧縮状態で保持されているものである。
【手続補正５】
【補正対象書類名】明細書
【補正対象項目名】００１３
【補正方法】変更
【補正の内容】
【００１３】
本発明の第５の態様は、前記第１〜第４の何れかの態様に係る隔壁部材付きハブ組立体において、前記ハブの内周面に押え突部が形成されて、該押え突部と前記保持部との間で前記隔壁部材の前記環状突部が圧縮状態で保持されているものである。
【手続補正６】
【補正対象書類名】明細書
【補正対象項目名】００１４
【補正方法】変更
【補正の内容】
【００１４】
なお、これら第４，５の態様は、２つの態様に係る押え突部を相互に組み合わせることも可能であり、例えば、保持部の外周面に押え突部が形成されると共に、ハブの内周面に押え突部が形成されて、かかる保持部の外周面とハブの内周面とで隔壁部材の環状突部が圧縮状態で保持されてもよい。
【手続補正７】
【補正対象書類名】明細書
【補正対象項目名】００１５
【補正方法】変更
【補正の内容】
【００１５】
本発明の第６の態様は、前記第４又は第５の態様に係る隔壁部材付きハブ組立体であって、前記環状突部において前記挟圧部より前記押し子の移動方向の後方側が該挟圧部に比べて厚肉とされているものである。
【手続補正８】
【補正対象書類名】明細書
【補正対象項目名】００１７
【補正方法】変更
【補正の内容】
【００１７】
本発明の第７の態様は、前記第１〜第６の何れかの態様に係る隔壁部材付きハブ組立体において、前記押え突部により、前記隔壁部材の前記環状突部における突出方向の基端部が圧縮状態で保持されているものである。
【手続補正９】
【補正対象書類名】明細書
【補正対象項目名】００１９
【補正方法】変更
【補正の内容】
【００１９】
本発明の第８の態様は、流体通路を構成するハブの内部にスリット付きの隔壁部材が装着されていると共に、該隔壁部材に対して一方の側に該スリットよりも大きな外径の先端面を有する筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、前記ハブの内周面に段差状部が設けられていると共に、該ハブの該段差状部において前記押し子側に向かって突出する押え突部が形成されており、前記隔壁部材が前記スリットの形成された中央部分よりも外周側において、該押え突部により前記押し子ガイドとの間で圧縮されて保持されていることを、特徴とする。
【手続補正１０】
【補正対象書類名】明細書
【補正対象項目名】００２０
【補正方法】変更
【補正の内容】
【００２０】
本発明の第９の態様は、流体通路を構成するハブの内部にスリット付きの隔壁部材が装着されていると共に、該隔壁部材に対して一方の側に該スリットよりも大きな外径の先端面を有する筒状の押し子が配されて該流体通路の長さ方向で所定距離移動可能とされており、該押し子が該隔壁部材の該スリットに押し入れられることで該隔壁部材が連通されるようになっている隔壁部材付きハブ組立体において、前記隔壁部材の外周部分には前記流体通路の長さ方向で前記押し子側に向かって突出する環状突部が形成されていると共に、前記ハブの内部に組み付けられた部材には該押し子を移動方向へ案内するガイド部と該環状突部に入り込む保持部が設けられており、該保持部の外周面と前記ハブの内周面との少なくとも一方には他方に向かって突出して該環状突部に対して圧縮力を及ぼす押え突部が形成されていることを、特徴とする。また、本発明の第１０の態様は、流体通路を構成するハブの内部にスリット付きの隔壁部材が装着されていると共に、該隔壁部材に対して一方の側に筒状の押し子が配されて、該ハブの内周に組み付けられた押し子ガイドにより該押し子が該流体通路の長さ方向で所定距離移動可能とされており、該押し子が該隔壁部材の該スリットに押し入れられることで該隔壁部材が連通されるようになっている隔壁部材付きハブ組立体において、前記隔壁部材には、前記ハブへの装着状態で前記押し子ガイドと前記ハブとによって囲まれた領域に配された外周部分において、該押し子ガイド又は前記ハブに対して係合された凹状の部分が設けられていることを、特徴とする。
【手続補正１１】
【補正対象書類名】明細書
【補正対象項目名】００２１
【補正方法】変更
【補正の内容】
【００２１】
本発明の第１１の態様は、前記第１〜第７の何れかの態様に係る隔壁部材付きハブ組立体において、前記隔壁部材には、前記環状突部の内周に沿って周方向に延びる環状凹溝が形成されており、該環状凹溝に対して前記押し子ガイドの前記保持部が入り込んでいると共に、該隔壁部材において該環状凹溝よりも内周に位置する中央部分に対して前記スリットが形成されているものである。
【手続補正１２】
【補正対象書類名】明細書
【補正対象項目名】００２３
【補正方法】変更
【補正の内容】
【００２３】
本発明の第１２の態様は、前記第１１の態様に係る隔壁部材付きハブ組立体において、前記流体通路の長さ方向において、前記中央部分よりも前記環状突部のほうが大きく突出しているものである。
【手続補正１３】
【補正対象書類名】明細書
【補正対象項目名】００２５
【補正方法】変更
【補正の内容】
【００２５】
本発明の第１３の態様は、前記第１１又は第１２の態様に係る隔壁部材付きハブ組立体において、前記環状凹溝に挿し入れられた前記押し子ガイドの前記保持部と、該環状凹溝の内周側の壁面との間に、隙間があるものである。